(57)【要約】【課題】水道直結式の便器において薬剤をあらかじめ洗浄水に付加しておくことのできる洋風便器装置を提供する。【解決手段】洋風便器装置１は、洗浄水を溜めるボウル部１０を有し、ボウル部１０に対して、水道管に接続された給水管２を通じて洗浄水を供給する洋風便器装置であって、ボウル部１１内の下部の水溜め部１１ａに補助洗浄水を供給する貯水タンク２０が便器本体１０に内蔵され、その貯水タンク２０には薬剤投入口２１が開設されている。【選択図】図１
2016148206.tif 000002
【特許請求の範囲】
【請求項１】
洗浄水を溜めるボウル部を有し、該ボウル部に対して、水道管に接続された給水管を通じて洗浄水を供給する洋風便器装置であって、
前記ボウル部内の下部の水溜め部に補助洗浄水を供給する貯水タンクが便器本体に内蔵され、該貯水タンクに薬剤投入口が開設されていることを特徴とする洋風便器装置。
【請求項２】
請求項１において、
前記薬剤投入口は防水構造を有している、洋風便器装置。
【請求項３】
請求項１または２において、
前記ボウル部には、貯水された前記洗浄水を外部に排出させる排出口と、該排出口に向けて前記貯水タンク内の前記補助洗浄水を噴出させる噴出口とが設けられている、洋風便器装置。
【発明の詳細な説明】
【技術分野】
【０００１】
本発明は、ボウル部に対して、水道管に接続された給水管を通じて洗浄水を供給する洋風便器装置に関する。
【背景技術】
【０００２】
近時、水洗タンクを併設する必要のない水道直結式の洋風便器装置が省スペース・タンクレストイレとして、多く提案、実施されている（たとえば、特許文献１参照）。
【先行技術文献】
【特許文献】
【０００３】
【特許文献１】特開２０００−２４０１３３号公報
【発明の概要】
【発明が解決しようとする課題】
【０００４】
しかしながら、この種の洋風便器装置はタンクを有さないため、洗浄水をボウル部に供給する前に洗浄水にあらかじめ薬剤を付加しておくことは困難である。つまり、給水管に他のルートで薬液を合流させないかぎりは、薬剤入りの洗浄水をボウル部に供給することはできない。
【０００５】
本発明は、このような事情を考慮して提案されたもので、その目的は、水道直結式の便器において薬剤をあらかじめ洗浄水に付加しておくことのできる洋風便器装置を提供することにある。
【課題を解決するための手段】
【０００６】
上記目的を達成するために、本発明の洋風便器装置は、洗浄水を溜めるボウル部を有し、ボウル部に対して、水道管に接続された給水管を通じて洗浄水を供給する洋風便器装置であって、ボウル部内の下部の水溜め部に補助洗浄水を供給する貯水タンクが便器本体に内蔵され、貯水タンクに薬剤投入口が開設されていることを特徴とする。
【発明の効果】
【０００７】
本発明の洋風便器装置によれば、上述した構成となっているため、水道直結式の便器装置において薬剤をあらかじめ洗浄水に付加しておくことができる。また、貯水タンクが便器本体に内蔵されているので、貯水タンクをたとえばボウル部に隣接するように配置すれば、ボウル部の水溜め部に溜められた水に対して,主たる洗浄水の供給とは別のルートで直接、補助洗浄水を供給することができる。そのため、ボウル部内の水溜め部およびその下流側を重点的に防汚、除菌することができる。
【図面の簡単な説明】
【０００８】
【図１】本発明の一実施形態に係る洋風便器装置の一例を模式的に示した概略縦断面図である。
【図２】（ａ）（ｂ）のそれぞれは、図１の洋風便器装置に用いる貯水タンクの２例を模式的に示した概略斜視図である。
【発明を実施するための形態】
【０００９】
以下に、本発明の一実施形態に係る洋風便器装置の一例について、添付図面をもとに説明する。まず、概略基本構成について説明する。
【００１０】
この洋風便器装置１は、洗浄水５を溜めるボウル部１１を有している。この洋風便器装置１は、ボウル部１１に対して、水道管に接続された給水管２を通じて洗浄水５を供給する水道直結式の便器装置である。また、この洋風便器装置１は、ボウル部１１内の下部の水溜め部１１ａに補助洗浄水６を供給する貯水タンク２０が便器本体１０に内蔵されている。この貯水タンク２０には薬剤投入口２１が開設されている（以上、図１および図２（ａ）（ｂ）参照）。
【００１１】
このように、この洋風便器装置１は薬剤投入口２１を有した貯水タンク２０を備えているため、貯水タンク２０内にあらかじめ薬剤入りの補助洗浄水６を貯水しておくことができる。そのため、水道直結式の水洗便器であるにもかかわらず、タンク式便器装置のように、除菌性、防汚性などを有した薬剤が入った洗浄水をボウル部１１に供給することができる。
【００１２】
ついで、洋風便器装置１の詳細な構成等について説明する。
【００１３】
この洋風便器装置１は、周壁を有し、給排水機構などを配した便器本体１０を備えており、床面に設置されている。周壁に囲まれた床面のほぼ中央には外部排出口３が形成されている。
【００１４】
便器本体１０内には、洗浄水５（封水）を溜めるボウル部１１と、ボウル部１１に洗浄水５を供給するリム通水路１３と、ボウル部１１に補助洗浄水６を供給する貯水タンク２０と、ボウル部１１から外部排出口３へ通じる排水路１４とが形成してある。
【００１５】
また、本洋風便器装置１はサイホンゼット式の水洗便器であり、ボウル部１１内に形成されたトラップ排出路１２の入り口（排出口１２ａ）に対し洗浄水５を噴出させるゼット噴出部１５を備えている。ボウル部１１内には、ゼット噴出部１５の噴出水空間１５ａが形成されている。
【００１６】
さらに、この洋風便器装置１は、ボウル部１１に対して洗浄水５を供給するための洗浄水供給部３１と、これを制御する制御部３０と、操作部（不図示）とを備えている。また、便器本体１０には、図示は省略しているが、ボウル部１１に対して開閉自在（起倒自在）とされた便座や便蓋が設けられている。
【００１７】
ボウル部１１は鉢様の傾斜内壁面を有しており、その傾斜内壁面を利用して形成され、底部側に入り口（排出口１２ａ）を有したトラップ排出路１２を備えている。このトラップ排出路１２の出口１２ｂは排水路１４に対して屈曲状につながっている。図１に２点鎖線で示したように、ボウル部１１の下部に位置する水溜め部１１ａにはトラップ排水路１２の出口１２ｂの高さ位置まで洗浄水５が溜められるようになっている。
【００１８】
ゼット噴出部１５は、ボウル部１１の水溜め部１１ａの溜め水を排出するために排出口１２ａに対して勢いのある噴出水を噴出する構成となっており、トラップ排出路１２の排出口１２ａに対峙するように噴出口１５ｂ（ゼット孔）が形成されている。
【００１９】
ゼット噴出部１５は、給水管２からボウル部１１へ供給された洗浄水５の一部を溜める噴出水空間１５ａを有している。その噴出水空間１５ａに貯水された溜め水は、たとえば便器本体１０に内蔵されたゼットポンプ（不図示）によって噴出口１５ｂからトラップ排水路１２（排出口１２ａ）に向けて噴出されるようになっている。
【００２０】
貯水タンク２０は、ボウル部１１に隣接するように便器本体１０に内蔵された直方体形状の容器である。この貯水タンク２０には給水管２を通じて給水され、その洗浄水５が補助洗浄水６として溜められる。また貯水タンク２０は、補助洗浄水６が貯水上限高さ位置２６（図２（ａ）（ｂ）参照）を超えて貯水されないようにするための水位センサ（不図示）と、ゼット噴出部１５の噴出水空間１５ａに対して補助洗浄水６を供給する供給口２４とを備えている。なお、貯水タンク２０は、円筒形状など種々の形状の容器であってもよい。
【００２１】
また、この貯水タンク２０には、上述したように薬剤投入口２１が開設されている（図２（ａ）（ｂ）参照）。この洋風便器装置１は、噴出水空間１５ａがボウル部１１内の他の部位と連通するように形成されているため、貯水タンク２０に溜められた補助洗浄水６は薬液としてボウル部１１内に供給され、ボウル部１１の全体に行き渡る。
【００２２】
操作部で洗浄操作がなされたときには、制御部３０の指令により、ゼット噴出部１５が駆動されて噴出水空間１５ａの溜め水が噴出口１５ｂより勢いよく噴出し、その噴出水により、トラップ排水路１２を含むボウル部１１の溜め水を排水路１４へと排出する。このゼット噴出部１５の動作とほぼ同時に、制御部３０の指令により洗浄水供給部３１が駆動され、給水管２から洗浄水５をリム通水路１３を通じてボウル部１１へと供給する。また、洗浄水５はゼット噴出部１５の噴出水空間１５ａを通じて水溜め部１１ａに対して直接的にも供給される。また、それとほぼ同タイミングで、制御部３０の指令により貯水タンク２０から薬液（補助洗浄水６）をゼット噴出部１５の噴出水空間１５ａへ供給する。
【００２３】
ゼット噴出部１５の駆動が停止されてから所定時間経過後に洗浄水５の供給が停止されることで、洗浄水５は、噴出水空間１５ａおよびトラップ排出路１２を含むボウル部１１に、封水として溜められた状態となる。
【００２４】
こうして、薬液（補助洗浄水６）の混じった洗浄水５の一部は、トラップ排出路１２を通って排水路１４へ流れ出し、他の一部はゼット噴出部１５の噴出水空間１５ａおよびトラップ排出路１２を含むボウル部１１に残留する。
【００２５】
このように、薬液を含んだ洗浄水５はトラップ排出路１２を含むボウル部１１の全体に行き渡るように溜められるので、この洗浄水５によってボウル部１１の内壁面を除菌、防汚できる。本実施形態のものでは、補助洗浄水６をリム通水路１３を介さず、ボウル部１１内の噴出水空間１５ａを通じて水溜め部１１ａに直接供給するようになっているので、ボウル部１１の水溜め部１１ａ（図１における２点鎖線の下方部分）に対して特に有効である。
【００２６】
また、水溜め部１１ａのうち、底部近傍に補助洗浄水６が溜まりやすくなるため、底部近傍を濃い薬液にて重点的に除菌、防汚することができる。なお、補助洗浄水６をボウル部１１内に多く貯留させるために、洗浄の際に、リム通水路１３からの洗浄水５の供給よりも時間遅れで補助洗浄水６を供給するようにしてもよい。また、薬液を含んだ洗浄水５は排水路１４内を通過するので排水路１４内も除菌、防汚することもできる。もちろん、タンク内の補助洗浄水６により貯水タンク２０内も除菌、防汚される。
【００２７】
以上のように、この洋風便器装置１は薬剤投入口２１付きの貯水タンク２０を備えているので、水道直結式であっても、薬剤をあらかじめ洗浄水５に付加しておくことができる。すなわち、この洋風便器装置１によれば、タンク式便器装置と同様に、手間なく薬剤を用いた、ボウル部１０などの除菌、防汚を実現できる。また、市販の薬剤を利用することもできる。水に対して徐々に溶け出す固形薬剤を用いれば、貯水タンク２０内の補助洗浄水７がいっきにボウル部１１に流れ出した場合でも、固形薬剤が貯水タンク２０内に残っているかぎり、貯水タンク２０への洗浄水５の供給で薬液を生成することができる。
【００２８】
薬剤としては、除菌性や防汚性、洗浄性などを有した市販のものを利用できる。また、溜め水の塩素濃度を高めるための塩素水や、ボウル部１１の内面に撥水性をもたせるための石鹸水などを薬剤として用いてもよい。
【００２９】
また、補助洗浄水６の噴出は、ボウル部１１内の排出水流の強化向上に作用させることもできる。補助洗浄水６は、薬剤を投入することなく、排出水流の強化のみに利用してもよい。
【００３０】
貯水タンク２０に溜め込まれる補助洗浄水６は、図１に示すように、便器本体１０内において給水管２から供給されるようにすればよい。また、給水管２から分離した管を経由して水道水を貯水タンク２０に供給するようにしてもよいし（図１における破線矢印）、水道管から直接供給するようにしてもよい。また、貯水タンク２０を出し入れ自在としたものとしてもよく、便器本体１０のサイドカバー（不図示）を開け、貯水タンク２０を取り出して、薬剤投入口２１から水道水を注ぎ込んで貯水するような構成としてもよい。
【００３１】
薬剤投入口２１は、たとえば図２（ａ）に示すように、貯水タンク２０の上面に設けてあればよい。薬剤投入口２１が上面に設けてあるから、薬剤を簡単、確実に投入することができる。この薬剤投入口２１には防水パッキンおよびふたを設けることが望ましいが、それらがなくても、薬剤投入口２１が貯水上限高さ位置２６よりも高い位置にあるため、地震などで便器本体１０が揺れ動かないかぎり、補助洗浄水６が外部にあふれ出すおそれはない。
【００３２】
たとえば、貯水タンク２０は、タンク式便器装置のタンクのように、タンクに設けた鉢形状の天板の孔より洗浄水が投入される構成としたものとしてもよい。つまり、その孔の上に据え置き型の薬剤を設置して、その孔を薬剤投入口２１として利用するものとしてもよい。
【００３３】
図２（ｂ）に示した貯水タンク２０は、薬剤投入口２１が側面に形成されている。その薬剤投入口２１の開口周縁には防水パッキン２２が取り付けられ、開口を塞ぐ開閉自在のふた２３が設けられている。
【００３４】
図２（ｂ）に示した貯水タンク２０のように、薬剤投入口２１が貯水上限高さ位置２６よりも低い位置にあるものであっても、防水構造を有しているため補助洗浄水６が漏れ出すおそれはない。
【００３５】
また、薬剤を投入する場合は、図２（ｂ）の右図に示すように、補助洗浄水６を抜いてほぼ空の状態にして投入すればよい。このように補助洗浄水６を抜き、側面に設けた薬剤投入口２１から薬剤を投入するため、薬剤投入による撥ね水が飛び出す可能性はほとんどない。
【００３６】
上述した実施形態の洋風便器装置１は、補助洗浄水６をゼット噴出部１５の噴出水空間１５ａに供給して噴出水として用いる構成となっているが、補助洗浄水６を他の部位よりボウル部１１の水溜め部１１ａに供給する構成であってもよい。たとえば、補助洗浄水６をリム通水路１３に洗浄水５とともに供給する構成でもよいし、補助洗浄水６をボウル部１１の上部よりリム通水路１３以外の経路で供給する構成であってもよい。すくなくとも、貯水タンク２０から供給される補助洗浄水６がボウル部１１内で洗浄水５に合流するような構成の便器装置であればよい。
【符号の説明】
【００３７】
１          洋風便器装置
２          給水管
５          洗浄水
６          補助洗浄水
１０        便器本体
１１        ボウル部
１１ａ      水溜め部
１２ａ      排出口（入り口）
１３        リム通水路
１４        排水路
２０        貯水タンク
２１        薬剤投入口
２２        防水パッキン
２３        ふた
【図１】
2016148206.tif 000003
【図２】
2016148206.tif 000004